(57)【要約】【課題】光ディスクの信号を読み取ることが可能であり、適切なファイル形式にエンコードし、メモリ・カードに保存したりプレーヤーに保存することができる映像・音声のエンコード機能を備えた光ディスク・ドライブを提供する。【解決手段】この光ディスク・ドライブには、カード・スロットが１つ以上、コネクタが１つ以上、コントロール・パネルが１つ取り付けられている。また、読み取りユニットが１つと、これと電気接続された変換ユニットが搭載されている。この変換ユニットは、光ディスクの映像・音声の信号を、メモリ・カードへの保存が可能なファイル形式にエンコードすることができる。つまり、この光ディスク・ドライブは映像・音声を直接再生できるほか、変換ユニットを利用して、光ディスクに記憶されている映像・音声の信号を適切なファイル形式にエンコードし、メモリ・カードに保存できるほか、コネクタと変換ユニットを利用して、光ディスクの信号を適切なファイル形式にエンコードした後、これをプレーヤーに保存する。【選択図】図２
0003103291.tif 000002
【実用新案登録請求の範囲】
【請求項１】
光ディスクの信号を読み取ることができる読み取りユニットを搭載し、少なくとも１つのスロットを持ち、このスロットには、メモリ・カードを挿入することができ、少なくとも１つのコネクタを持ち、このほかコントロール・パネルと変換ユニットが１つずつ搭載されていて、この変換ユニットは、光ディスク・ドライブの内部に搭載されており、上述の読み取りユニットおよびスロットとは電流連接されていると共に、光ディスクに記憶された映像・音声の信号を、メモリ・カードでの保存が可能なファイル形式にエンコードすることを特徴とするマルチメディア信号を再生するための映像・音楽のエンコード機能を備えた光ディスク・ドライブ。
【請求項２】
請求項１に記載の映像・音声のエンコード機能付き光ディスク・ドライブは、本体および本体の側面の設置物、本体上の上蓋により構成されていることを特徴とする。
【請求項３】
請求項１に記載ので述べた映像・音声のエンコード機能付き光ディスク・ドライブに搭載されたソケットは、CF（Compact Flash Card）、SD（Secure Digital Memory Card）、MMC（Multi Media Card）、MS（Memory Stick）、XD（XD Picture Card）などのメモリ・カードを挿入することができるオール・イン・ワン・ソケットであることを特徴とする。
【請求項４】
請求項１で述べた映像・音声のエンコード機能付き光ディスク・ドライブに搭載されたソケットは、CF（Compact Flash Card）を挿入することができるソケットであることを特徴とする。
【請求項５】
請求項１に記載の映像・音声のエンコード機能付き光ディスク・ドライブに搭載されたソケットは、SD（Secure Digital Memory Card）を挿入することができるソケットであることを特徴とする。
【請求項６】
請求項１に記載の映像・音声のエンコード機能付き光ディスク・ドライブに搭載されたソケットは、MMC（Multi Media Card）を挿入することができるソケットであることを特徴とする。
【請求項７】
請求項１に記載の映像・音声のエンコード機能付き光ディスク・ドライブに搭載されたソケットはMS（Memory Stick）を挿入することができるソケットであることを特徴とする。
【請求項８】
請求項１に記載の映像・音声のエンコード機能付き光ディスク・ドライブに搭載されたソケットは、XD（XD Picture Card）を挿入することができるソケットであることを特徴とする。
【請求項９】
請求項１に記載の映像・音声のエンコード機能付き光ディスク・ドライブに設置された１つ以上のコネクタのうち、１つはUSBポートであることを特徴とする。
【請求項１０】
請求項１に記載の映像・音声のエンコード機能付き光ディスク・ドライブに設置された１つ以上のコネクタのうち、１つは信号出力ポートであることを特徴とする。
【請求項１１】
請求項１に記載の映像・音声のエンコード機能付き光ディスク・ドライブに設置された１つ以上のコネクタのうち、１つは電源コネクタであることを特徴とする。
【請求項１２】
請求項１に記載の映像・音声のエンコード機能付き光ディスク・ドライブは、音量調節ボタンを有していることを特徴とする。
【請求項１３】
請求項１に記載の映像・音声のエンコード機能付き光ディスク・ドライブに搭載されたコントロール・パネルは、ファイル編集ボタン・エリアを有していることを特徴とする。
【請求項１４】
請求項１に記載の映像・音声のエンコード機能付き光ディスク・ドライブに搭載されたコントロール・パネルは、光ディスク・ドライブに関する機能ボタン・エリアを有していることを特徴とする。
【請求項１５】
請求項１に記載の映像・音声のエンコード機能付き光ディスク・ドライブは、ディスプレーを１つ有していることを特徴とする。
【請求項１６】
請求項１に記載の映像・音声のエンコード機能付き光ディスク・ドライブは、この光ディスク・ドライブでエンコードしたファイルを、メモリ・カードに保存することができるほか、MP3プレーヤーを通して読み取ることができることを特徴とする。
【請求項１７】
請求項１に記載の音声のエンコード機能付き光ディスク・ドライブは、この光ディスク・ドライブでエンコードしたファイルを、メモリ・カードに保存することができるほか、MPEG4プレーヤーを通して読み取ることができることを特徴とする。
【考案の詳細な説明】
【技術分野】
【０００１】
本考案は、映像・音声のエンコード機能を備えた光ディスク・ドライブに関するものである。この光ディスク・ドライブは、光ディスクに記憶されている映像・音声を直接再生することができるほか、変換ユニットを利用して、光ディスクに記憶されている映像・音声を適切なファイル形式にエンコードした後、これをメモリ・カードまたはプレーヤーに保存することができる。
【背景技術】
【０００２】
電子製品に関するテクノロジーが飛躍的に成長したことにより、現代人は日常生活において、電子製品のもたらす便利性を享受できるようになった。例えば、デジタルカメラ、デジタル音響、VCD /DVDドライブ、ポータブルCDプレーヤー、MP3プレーヤーなどは、いずれも伝統的なAV製品に取って代わりつつある。そのうち、携帯に便利なポータブルCDプレーヤーおよびMP3プレーヤーは、最も広く消費者に受け入れられている。ポータブルCDプレーヤーが再生する音質は、伝統的なカセット・テープに比べて良好で、しかもポータブルCDプレーヤーが使用する光ディスクは、永久保存が可能である。また、MP3プレーヤーにおいては、内部に設置された処理装置およびストレージ装置を利用することで、音声データを大量に保存することができるほか、これらの音声データを再生することもできる。また、一台のMP3プレーヤーは、複数枚の光ディスクにも相当する。このため、MP3プレーヤーは、ますます普及する趨勢にある。
【０００３】
しかし、ポータブルCDプレーヤーは単純な音声再生機能しか持たず、また単一の光ディスクに収められた固定の曲目しか再生することができない。このため、使用者は外出する際、複数枚の光ディスクを準備し、随時ディスクを取り替える必要がある。また、MP3プレーヤーにおいては、比較的多くの音声データを保存することができるものの、これらの音声データは必ずパソコンを利用して、インターネット上でダウンロードする必要がある。しかし、一部の楽曲は、光ディスクからしか入手することができない。ポータブルCDプレーヤーおよびMP3プレーヤーは、このような問題点を抱えており、ユーザーの需要を満たしていない。
【考案の開示】
【考案が解決しようとする課題】
【０００４】
本考案の主要な目的は、コネクタと変換ユニットを利用して、光ディスクの信号を適切なファイル形式にエンコードした後、プレーヤー本体に保存することで、単一の光ディスクに記憶された固定の曲目しか再生できないという問題を解決することである。
本考察のもう一つの目的は、変換ユニットを利用して、光ディスクの信号を適切なファイル形式にエンコードし、それをメモリ・カードに保存することで、パソコンを通してインターネット上で音声データを取り込まなければならないという問題を解決することである。
【課題を解決するための手段】
【０００５】
本考案の映像・音楽のエンコード機能を備えた光ディスク・ドライブは、請求項１に記載の通り、光ディスクの信号を読み取ることができる読み取りユニットを搭載し、少なくとも１つのスロットを持ち、このスロットには、メモリ・カードを挿入することができ、少なくとも１つのコネクタを持ち、このほかコントロール・パネルと変換ユニットが１つずつ搭載されていて、この変換ユニットは、光ディスク・ドライブの内部に搭載されており、上述の読み取りユニットおよびスロットとは電流連接されていると共に、光ディスクに記憶された映像・音声の信号を、メモリ・カードでの保存が可能なファイル形式にエンコードすることを特徴とする。
【０００６】
請求項２に記載の映像・音声のエンコード機能付き光ディスク・ドライブは、請求項１において、本体および本体の側面の設置物、本体上の上蓋により構成されていることを特徴とする。
【０００７】
請求項３に記載の映像・音声のエンコード機能付き光ディスク・ドライブに搭載されたソケットは、請求項１において、CF（Compact Flash Card）、SD（Secure Digital Memory Card）、MMC（Multi Media Card）、MS（Memory Stick）、XD（XD Picture Card）などのメモリ・カードを挿入することができるオール・イン・ワン・ソケットであることを特徴とする。
【０００８】
請求項４に記載の映像・音声のエンコード機能付き光ディスク・ドライブに搭載されたソケットは、請求項１において、CF（Compact Flash Card）を挿入することができるソケットであることを特徴とする。
【０００９】
請求項５に記載の映像・音声のエンコード機能付き光ディスク・ドライブに搭載されたソケットは、請求項１において、SD（Secure Digital Memory Card）を挿入することができるソケットであることを特徴とする。
【００１０】
請求項６に記載の映像・音声のエンコード機能付き光ディスク・ドライブに搭載されたソケットは、請求項１において、MMC（Multi Media Card）を挿入することができるソケットであることを特徴とする。
【００１１】
請求項７に記載の映像・音声のエンコード機能付き光ディスク・ドライブに搭載されたソケットは、請求項１において、MS（Memory Stick）を挿入することができるソケットであることを特徴とする。
【００１２】
請求項８に記載の映像・音声のエンコード機能付き光ディスク・ドライブに搭載されたソケットは、請求項１において、XD（XD Picture Card）を挿入することができるソケットであることを特徴とする。
【００１３】
請求項９に記載の映像・音声のエンコード機能付き光ディスク・ドライブに設置された１つ以上のコネクタのうち、１つは、請求項１において、USBポートであることを特徴とする。
【００１４】
請求項１０に記載の映像・音声のエンコード機能付き光ディスク・ドライブに設置された１つ以上のコネクタのうち、１つは、請求項１において、信号出力ポートであることを特徴とする。
【００１５】
請求項１１に記載の映像・音声のエンコード機能付き光ディスク・ドライブに設置された１つ以上のコネクタのうち、１つは、請求項１において、電源コネクタであることを特徴とする。
【００１６】
請求項１２に記載の映像・音声のエンコード機能付き光ディスク・ドライブは、請求項１において、音量調節ボタンを有していることを特徴とする。
【００１７】
請求項１３に記載の映像・音声のエンコード機能付き光ディスク・ドライブに搭載されたコントロール・パネルは、請求項１のいて、ファイル編集ボタン・エリアを有していることを特徴とする。
【００１８】
請求項１４に記載の映像・音声のエンコード機能付き光ディスク・ドライブに搭載されたコントロール・パネルは、請求項１において、光ディスク・ドライブに関する機能ボタン・エリアを有していることを特徴とする。
【００１９】
請求項１５に記載の映像・音声のエンコード機能付き光ディスク・ドライブは、請求項１におて、ディスプレーを１つ有していることを特徴とする。
【００２０】
請求項１６に記載の映像・音声のエンコード機能付き光ディスク・ドライブは、請求項１において、この光ディスク・ドライブでエンコードしたファイルを、メモリ・カードに保存することができるほか、MP3プレーヤーを通して読み取ることができることを特徴とする。
【００２１】
請求項１７に記載の音声のエンコード機能付き光ディスク・ドライブは、請求項１において、この光ディスク・ドライブでエンコードしたファイルを、メモリ・カードに保存することができるほか、MPEG4プレーヤーを通して読み取ることができることを特徴とする。
【考案の効果】
【００２２】
本考案の映像・音声のエンコード機能を備えた光ディスク・ドライブは、光ディスクの信号を読み取ることが可能であり、適切なファイル形式にエンコードし、メモリ・カードに保存したりプレーヤーに保存することができる。
【考案を実施するための最良の形態】
【００２３】
図１、図２、図３はそれぞれ、本考案の立体概観概念図、本考案の使用状態概念図、本考察のもう１つの使用状況概念図である。これらの図が示すように、本考案は映像・音声をエンコードする機能を備えた光ディスク・ドライブに関するものであり、本考察により光ディスク・ドライブ１は光ディスク３に記憶された映像・音声を直接再生することができるほか、変換ユニット２を利用して光ディスク３の信号を適切なファイル形式にエンコードし、このファイルをメモリ・カード４またはプレーヤー５に保存することができる。
【００２４】
上述の光ディスク・ドライブ１は、本体11および本体１の側面に接続する設備、および本体11の上面にかぶせる上蓋12により構成されている。光ディスク・ドライブ１の本体11の表面には、ディスプレー111が搭載されている。またこの光ディスク・ドライブ１には、光ディスクの信号を読み取ることができる読み取りユニット13が搭載されている。さらにこの光ディスク・ドライブの側面には、カード・スロット14が１つ以上設置されている。このカード・スロット14には、メモリ・カード４を挿入することができる。このカード・スロット14は、オール・イン・ワン型スロットで、CF（Compact Flash Card）、SD（Secure Digital Memory Card）、MMC（Multi Media Card）、MS（Memory Stick）、XD（XD Picture Card）などのメモリ・カードを挿入することができる。また、この光ディスク・ドライブ１に、複数の独立したメモリ・カード用カード・スロット14を設置し、メモリ・カードを挿入するために単独で使用することもできる。
【００２５】
この光ディスク・ドライブ１のもう一方の側面には、複数のコネクタ15が備え付けられている。これらのコネクタ15のうち、１つはUSBポート151で、残りは信号出力ポート152、電源コネクタ153である。またこの光ディスク・ドライブ１の表面にはコントロール・パネル16が設置されている。このコントロール・パネル16には、ファイル編集ボタン・エリア161と光ディスク・ドライブ１に関する機能ボタン・エリア162のほか、光ディスク・ドライブ１に関する音量調節ボタン17が設置されている。
【００２６】
このほか、コントロール・パネル16およびこのコントロール・パネル16に設置されたファイル編集ボタン・エリア161、光ディスク・ドライブ１に関する機能ボタン・エリア162、ディスプレー111は、いずれも光ディスク・ドライブ1の上蓋12の表面に設置することもできる。
【００２７】
変換ユニット２は、上述の光ディスク・ドライブ１の内部に搭載されており、この変換ユニット２は、上述の読み取りユニット13およびカード・スロット14と、電気接続されている。また、この変換ユニット２は、光ディスク３に記憶された映像・音声に関する、信号をメモリ・カード４に保存できるようファイル形式にエンコードする際に用いる。上述した構造を構成すると、全く新しい映像・音声エンコード機能付き光ディスク・ドライブとなる。
【００２８】
図２は、本考案の使用状況概念図である。この図が示すように、使用者は本考案を用いて光ディスク３を直接再生しようとする場合、本体11のディスク・トレイ112に光ディスク３を置き、その後、上蓋12を閉じ、機能ボタン・エリア162の再生ボタンを押す。これにより、読み取りユニット13が光ディスク３の信号を読み取ることができる。使用者はこの際、コネクタ15の信号出力ポート152に、イヤホン６、スピーカー７またはテレビ８の端子を挿入することで、映像・音声の信号を出力し、本考察の光ディスク・ドライブ１を利用して光ディスク３を直接再生することができる。
【００２９】
本考案を用いて映像・音声を再生するとともに、光ディスク３の信号をメモリ・カード４に保存する場合、使用者は光ディスク３を本体11のディスク・トレイ112に置き、その後、上蓋12を閉じ、カード・スロット14の需要に合致したメモリ・カード４を挿入する。その後、ファイル編集ボタン・エリア161を用いて、ファイルの設定またはファイルの編集を行なったり、ファイル名を入力することができる。また、このファイル編集ボタン・エリア161で行なった設定は、ディスプレー111に表示される。最後に、機能ボタン・エリア162のボタンを押して光ディスク・ドライブ１を起動させる。これにより、光ディスク・ドライブ１の変換ユニット２を通して、光ディスク３の信号が適切な形式（例えばMP3形式など）にエンコードされ、さらにメモリ・カード４に保存される。
【００３０】
図３は、本考案のもう１つの使用状況概念図である。この図が示すように、本考案の光ディスク・ドライブ１を利用して再生を行い、光ディスク３の信号をもう１つのプレーヤー５（例えばMP3プレーヤーなど）に保存する場合、使用者は光ディスク３を本体11のディスク・トレイ112に置き、その後に上蓋12を閉じ、コネクタ15のうちUSBポート151に適切なケーブル51（USB端子を持つコネクタ・ケーブル）を挿入し、さらにこのケーブル51とプレーヤー５（例えばMP3プレーヤーなど）を接続する。その後、ファイル編集ボタン・エリア161において、ファイル名を設定したり、ファイルの編集を行ったりする。
【００３１】
また、この編集ボタン・エリア161で行った設定は、ディスプレー111に表示される。最後に、機能ボタン・エリア162のボタンを押して、光ディスク・ドライブ１を起動させる。これにより、光ディスク・ドライブ１の変換ユニット２は、コネクタ15のUSBポート151とともに、光ディスク３の信号を適切な形式（例えばMP3形式またはMPEG4形式など）にエンコードするとともに、プレーヤー５（例えばMP3プレーヤーまたはMPEG4プレーヤー）に保存することができる。
【００３２】
図４は、本考案の実施例の概念図である。この図が示すように、本考案の光ディスク・ドライブ１に搭載されるカード・スロット14は、上述のようにオール・イン・ワン型スロットとすることができるほか、CF（Compact Flash Card）用スロット14a、SD(Secure Digital Memory Card)およびMMC（Multi Media Card）用スロット14b、MS（Memory Stick）およびXD（XD Picture Card）用スロット14cのように、個別に搭載することもできる。これにより、本考案は使用者および実際の運用上の需要を満たすことが可能となる。
【００３３】
上述の実施例は、本考案の基本的な例を挙げたにすぎない。このため、これらの説明により、本考案の実施の範囲を制限することはできない。ゆえに、本考案が申請する実用新案の範囲および考案説明書の内容に基づき、この光ディスク・ドライブが行う同レベルの変化や応用は、いずれも本考案が申請する実用新案の範囲内に属する。
【図面の簡単な説明】
【００３４】
【図１】本考案の立体概観概念図
【図２】本考案の使用状況概念図
【図３】本考案のもう１つの使用状況概念図
【図４】本考案の実施例の概念図
【符号の説明】
【００３５】
光ディスク・ドライブ    1
本体    11        
ディスプレー    111
ディスク・トレイ  112  
上蓋    12
読み取りユニット    13
スロット    14、14a、14b、14c
コネクタ    15
USBポート    151
信号出力ポート    152
電源コネクタ    153
コントロール・パネル    16
ファイル編集ボタン・エリア    161
機能ボタン・エリア    162
音量調節ボタン    17
変換ユニット    ２    
光ディスク    ３
メモリ・カード    ４      
プレーヤー    ５
ケーブル    51
イヤホン    ６
スピーカー    ７
テレビ    ８
【図１】
0003103291.tif 000003
【図２】
0003103291.tif 000004
【図３】
0003103291.tif 000005
【図４】
0003103291.tif 000006